(57)【要約】【課題】特別遊技状態に移行するか否かの抽選を、同一の遊技球を用いて引き続き行い得るように構成した遊技機を提供する。【解決手段】クルーン抽選装置２８では、上段クルーン部２８ａの周辺入球口４３ｂ〜４３ｅのいずれかに入球した遊技球を下段クルーン部２８ｂに流下させて該クルーン部２８ｂの移行確定入賞口４４ａ及び周辺入球口４４ｂ〜４４ｅ，・・・を用いた抽選を行う。これにより、上段クルーン部２８ａ側で特別遊技状態に移行するか否かの抽選を行い、当選しない際には下段クルーン部２８ｂ側で当該抽選を再度実施できるので、１個の遊技球を用いて行われる抽選に遊技者を注目させて抽選光景を楽しませる時間を従来に比して長くし、当選の期待感を倍増させ、遊技者にとっての興趣を高め、遊技性を向上し得る。【選択図】図３
2008119274.tif 000002
【特許請求の範囲】
【請求項１】
遊技盤に、遊技球が入球可能な始動口と、該始動口への入球時に開放する開閉部材を有する入球役物と、を備え、前記遊技盤の遊技領域に遊技球を打ち出して遊技してなる遊技機において、
前記入球役物は、前記開閉部材の開放時に取り込んだ遊技球を用いて、通常の遊技状態から、遊技者に有利な特別遊技状態に移行するか否かの抽選を機械的に行う特別遊技状態抽選部を有し、
該特別遊技状態抽選部は、共通の軸を中心として上下複数段に配置されたクルーン部を有し、
前記クルーン部は、入球すると前記特別遊技状態への移行が確定する移行確定入球口と、該移行確定入球口の周辺に設けられた複数の周辺入球口と、をそれぞれ有し、
前記特別遊技状態抽選部は、上側の前記クルーン部の前記移行確定入球口に入球せずに前記上側クルーン部の前記周辺入球口に入球した遊技球を下側の前記クルーン部に流下させ、該下側クルーン部の前記移行確定入球口及び前記周辺入球口を用いて前記特別遊技状態に移行するか否かの抽選を再度行うように構成されてなる、
ことを特徴とする遊技機。
【請求項２】
前記上側クルーン部は、前記開閉部材によって取り込まれた遊技球を転がり移動させて該上側クルーン部の前記移行確定入球口及び前記周辺入球口の何れかに入球するように案内する環状案内部を有し、
前記下側クルーン部は、前記上側クルーン部の前記周辺入球口に入球して流下した遊技球を転がり移動させて該下側クルーン部の前記移行確定入球口及び前記周辺入球口の何れかに入球するように案内する環状案内部を有し、
前記上側クルーン部の前記移行確定入球口は前記下側クルーン部の前記移行確定入球口に直接連通してなる、
請求項１記載の遊技機。
【請求項３】
上下複数段の前記クルーン部の前記環状案内部がそれぞれ前記入球役物側に固定され、かつ、
上下複数段の前記クルーン部の前記移行確定入球口及び前記周辺入球口が、前記軸を中心に前記環状案内部に対して一体的に回転するように支持されてなる、
請求項１又は２記載の遊技機。
【請求項４】
上下複数段の前記クルーン部の前記環状案内部がそれぞれ前記入球役物側に固定され、かつ、
上下複数段の前記クルーン部の前記移行確定入球口及び前記周辺入球口が、前記軸を中心に前記環状案内部に対して回転するように支持されると共に、前記上側クルーン部の前記移行確定入球口及び前記周辺入球口と前記下側クルーン部の前記移行確定入球口及び前記周辺入球口とが前記軸を中心として互に逆方向に回転してなる、
請求項２記載の遊技機。
【発明の詳細な説明】
【技術分野】
【０００１】
本発明は、パチンコ機等の遊技機に関し、詳しくは、始動口への入球時に開放する開閉部材で遊技球を取り込む入球役物を備えた遊技機に関する。
【背景技術】
【０００２】
遊技機として、始動入賞口への入賞時に開閉動作する可動翼片（開閉部材）を有する入球役物を備え、該可動翼片の開放時に取り込まれた遊技球が入球役物内の特定領域を通過した際に、通常遊技状態から、遊技者にとって有利となる特別遊技状態へと移行するように構成された第２種パチンコ遊技機が知られている（特許文献１参照）。
【０００３】
すなわち、特許文献１に記載の第２種パチンコ遊技機は、遊技領域に入球役物を備え、この入球役物の上部左右に配置された一対の可動翼片を開閉動作させ、開閉する可動翼片によって取り込まれた遊技球を、第１通過経路と第２通過経路とに振り分けるように構成される。第１通過経路は、通過する遊技球を、一方向に回転する回転体（所謂クルーン）の一般入賞口及び特定入賞口のいずれか一方に入賞させ得るように案内し、第２通過経路は、通過する遊技球を、第１通過経路の場合とは異なる位置（上記回転体の中央部分）に落下させ得るように案内する。第２通過経路は、第１通過経路よりも特定入賞口に入賞し易いように構成される。
【０００４】
【特許文献１】特開２００４−１７４２３８号公報
【発明の開示】
【発明が解決しようとする課題】
【０００５】
ところで、上記第２種パチンコ遊技機では、特別遊技状態に移行するか否かの抽選が遊技球の実際の入球に基づいて実行されるが、当該抽選は、１個の遊技球に関しては１回限りで終了する。つまり、可動翼片の開放タイミングが合うことで折角取り込まれた遊技球も、１度きりの抽選に用いられるだけであり、その際に当選しなければ、当該遊技球は遊技盤の背面側に排出されることになる。
【０００６】
そのため、１個の遊技球で行われる抽選に注目される時間は僅かであり、従って、１個の遊技球の動きに目を見張って抽選光景を楽しむ時間が如何に長くなるかが、遊技者にとっての興趣を高め、ひいては遊技性を向上させるのに必要であった。
【０００７】
そこで本発明は、特別遊技状態に移行するか否かの抽選を、同一の遊技球を用いて引き続き行い得るように構成し、もって上述した課題を解決した遊技機を提供することを目的とするものである。
【課題を解決するための手段】
【０００８】
本発明者は、抽選を実施するクルーン部を分割して設ければ、一のクルーン部で当選しなくても、その遊技球を他のクルーン部に導くことで、同一遊技球を用いて繰り返し抽選を実施することができ、それにより遊技者の期待感を高め、ひいては遊技性を高め得ることを着想した。そして、１個の遊技球で効率良く抽選し得る上下複数段のクルーン構成を鋭意探求し、試作を重ね、本発明を発明するに到った。
【０００９】
請求項１に係る本発明は（例えば図１ないし図９参照）、遊技盤（１１）に、遊技球が入球可能な始動口（１３，１４，１５）と、該始動口への入球時に開放する開閉部材（２０）を有する入球役物（２２）と、を備え、前記遊技盤（１１）の遊技領域（１１ａ）に遊技球を打ち出して遊技してなる遊技機（１）において、
前記入球役物（２２）は、前記開閉部材（２０）の開放時に取り込んだ遊技球を用いて、通常の遊技状態から、遊技者に有利な特別遊技状態に移行するか否かの抽選を機械的に行う特別遊技状態抽選部（２８）を有し、
該特別遊技状態抽選部（２８）は、共通の軸（３５，４７）を中心として上下複数段に配置されたクルーン部（２８ａ，２８ｂ）を有し、
前記クルーン部（２８ａ，２８ｂ）は、入球すると前記特別遊技状態への移行が確定する移行確定入球口（４３ａ，４４ａ）と、該移行確定入球口の周辺に設けられた複数の周辺入球口（４３ｂ，４３ｃ，４３ｄ，４３ｅ、４４ｂ，４４ｃ，４４ｄ，４４ｅ，・・・）と、をそれぞれ有し、
前記特別遊技状態抽選部（２８）は、上側の前記クルーン部（２８ａ）の前記移行確定入球口（４３ａ）に入球せずに前記上側クルーン部（２８ａ）の前記周辺入球口（４３ｂ〜４３ｅ）に入球した遊技球を下側の前記クルーン部（２８ｂ）に流下させ、該下側クルーン部（２８ｂ）の前記移行確定入球口（４４ａ）及び前記周辺入球口（４４ｂ〜４４ｅ，・・・）を用いて前記特別遊技状態に移行するか否かの抽選を再度行うように構成されてなる、
ことを特徴とする遊技機（１）にある。
【００１０】
なお、本発明における「入球」は、入球により賞球を受けない「入球」とともに、入球により賞球を受ける「入賞」をも含む概念である。また、本発明における「クルーン」は、略皿状で複数の穴が形成された遊技部品を意味している。
【００１１】
請求項２に係る本発明は（例えば図３〜図５、図８及び図９参照）、前記上側クルーン部（２８ａ）が、前記開閉部材（２０）によって取り込まれた遊技球を転がり移動させて該上側クルーン部（２８ａ）の前記移行確定入球口（４３ａ）及び前記周辺入球口（４３ｂ〜４３ｅ）の何れかに入球するように案内する環状案内部（２９ａ）を有し、
前記下側クルーン部（２８ｂ）は、前記上側クルーン部（２８ａ）の前記周辺入球口（４３ｂ〜４３ｅ，・・・）に入球して流下した遊技球を転がり移動させて該下側クルーン部（２８ｂ）の前記移行確定入球口（４４ａ）及び前記周辺入球口（４４ｂ〜４４ｅ，・・・）の何れかに入球するように案内する環状案内部（３０ａ）を有し、
前記上側クルーン部（２８ａ）の前記移行確定入球口（４３ａ）は前記下側クルーン部（２８ｂ）の前記移行確定入球口（４４ａ）に直接連通してなる、
請求項１記載の遊技機（１）にある。
【００１２】
請求項３に係る本発明は（例えば図３参照）、上下複数段の前記クルーン部（２８ａ，２８ｂ）の前記環状案内部（２９ａ，３０ｂ）がそれぞれ前記入球役物（２２）側に固定され、かつ、
上下複数段の前記クルーン部（２８ａ，２８ｂ）の前記移行確定入球口（４３ａ，４４ａ）及び前記周辺入球口（４３ｂ〜４３ｅ、４４ｂ〜４４ｅ，・・・）が、前記軸（３５）を中心に前記環状案内部（２９ａ，３０ａ）に対して一体的に回転するように支持されてなる、
請求項１又は２記載の遊技機（１）にある。
【００１３】
請求項４に係る本発明は（例えば図８及び図９参照）、上下複数段の前記クルーン部（２８ａ，２８ｂ）の前記環状案内部（２９ａ，３０ｂ）がそれぞれ前記入球役物（２２）側に固定され、かつ、
上下複数段の前記クルーン部（２８ａ，２８ｂ）の前記移行確定入球口（４３ａ，４４ａ）及び前記周辺入球口（４３ｂ〜４３ｅ、４４ｂ〜４４ｅ，・・・）が、前記軸（４７）を中心に前記環状案内部（２９ａ，３０ａ）に対して回転するように支持されると共に、前記上側クルーン部（２８ａ）の前記移行確定入球口（４３ａ）及び前記周辺入球口（４３ｂ〜４３ｅ）と前記下側クルーン部（２８ｂ）の前記移行確定入球口（４４ａ）及び前記周辺入球口（４４ｂ〜４４ｅ，・・・）とが前記軸（４７）を中心として互に逆方向に回転してなる、
請求項２記載の遊技機（１）にある。
【００１４】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１５】
請求項１に係る本発明によると、特別遊技状態抽選部が、上側クルーン部の周辺入球口に入球した遊技球を下側クルーン部に流下させて該下側クルーン部の移行確定入球口及び周辺入球口を用いて特別遊技状態に移行するか否かの抽選を再度行う構成を有するので、上側クルーン部側で特別遊技状態に移行するか否かの抽選を行い、当選しなかった際には下側クルーン部側で再度抽選を実施することができる。これにより、１個の遊技球を用いて行われる抽選に遊技者を注目させて抽選光景を楽しませる時間を従来に比して長くすることで、当選の期待感を倍増させ、遊技者にとっての興趣を高め、遊技性を向上させることができる。
【００１６】
請求項２に係る本発明によると、上側クルーン部での抽選時に移行確定入球口に入球した場合、該遊技球を下側クルーン部の移行確定入球口に直接入球させて特別遊技状態への移行を確定することができるので、移行確定の判定用のセンサを上側クルーン部と下側クルーン部とで別々に設けずに共通化することができ、部品点数を削減してコストダウンを図ることができる。また、第１段階の抽選時には遊技球を上側クルーン部の環状案内部にて転がり移動させ、この抽選に外れた後、更に下側クルーン部側で同様の抽選光景を遊技者に見せることができるので、抽選時の視覚的効果をより有効に醸し出すことができる。
【００１７】
請求項３に係る本発明によると、上下複数段のクルーン部の移行確定入球口及び周辺入球口が軸を中心に環状案内部に対して一体的に回転するように支持されるので、上側クルーン部での抽選光景と下側クルーン部での抽選光景を同様にして、抽選ムラの無い安定した感触を遊技者に与えることができる。
【００１８】
請求項４に係る本発明によると、複数段のクルーン部の移行確定入球口及び周辺入球口が、軸を中心に環状案内部に対して回転するように支持されると共に、上側クルーン部の移行確定入球口及び周辺入球口と下側クルーン部の移行確定入球口及び周辺入球口とが軸を中心として互に逆方向に回転するので、上側クルーン部での抽選光景と下側クルーン部での抽選光景を異ならせて、抽選時の意外性を遊技者にアピールすることができる。
【発明を実施するための最良の形態】
【００１９】
以下、本発明に係る遊技機の実施形態として、遊技場等に設置される、所謂第２種特別電動役物を使用したパチンコ機（第２種パチンコ遊技機）を図面に沿って説明する。なお、図１は本発明の実施形態におけるパチンコ機１の外部構造を示す正面図、図２は本パチンコ機１の遊技盤及び遊技領域を拡大して示す正面図、図３はセンター役物（入球役物）内に配置されたクルーン部を拡大して示す斜視図、図４は該クルーン部の詳細な構造を一部切断した状態で示す斜視図、図５は該クルーン部の別の部位を切断した状態で示す斜視図、図６はセンター役物及びクルーン部の構成を示す側面断面図、図７は本パチンコ機全体の制御系を示す制御ブロック図である。
【００２０】
＜第１実施形態＞
図１に示すように、本実施形態におけるパチンコ機１は、開口を有する枠体状の筐体２と、この筐体２に開閉自在に装着された前扉３とを有しており、前扉３の前面には、透明ガラス４６を有するガラス枠５が開閉自在に取り付けられている。透明ガラス４６の奥側には、遊技盤１１が配設されている。前扉３における遊技盤１１の左右及び上部には演出用照明装置２３が配設されており、前扉３における上部左右には、それぞれスピーカ（図示せず）を有する放音装置８が配設されている。また、ガラス枠５における右側部には、前扉３を筐体２側に施錠し解放する施錠装置４が配設されている。
【００２１】
そして、前扉３における下部中央には皿ユニット６が設けられており、皿ユニット６における右上部には、球貸ボタン７ａ及びプリペイドカード返却ボタン７ｂが配置されている。前扉３の該ボタン７ａ，７ｂの背面側には、球貸ボタン７ａを操作した際の貸し球や入賞時の賞球を皿ユニット６に供給するための球供給口１０が形成されている。皿ユニット６の中央部には、該皿ユニット６上の遊技球を発射装置７２（図７参照）付近から皿ユニット下部の球排出口（図示せず）を通して下方に排出するための第１球抜きボタン２１ａと、皿ユニット６上の遊技球を上記球排出口を通して下方に排出するための第２球抜きボタン２１ｂとが配置されている。
【００２２】
また、前扉３における皿ユニット６の右側下方には、発射装置７２を操作して遊技球を遊技盤１１に向けて打ち出すための発射ハンドル９が配置され、皿ユニット６の左側下方には灰皿２５が配置されている。遊技領域１１ａの最下部には、アウト口１８が形成されると共に、遊技中に遊技領域１１ａにて入球・入賞することなく落下してアウト口１８に進入した遊技球をパチンコ機背面側に導くアウト球通路（図示せず）が設けられている。なお、図１中の符号１２は、発射ハンドル９の操作で発射された遊技球を遊技領域１１ａに導くガイドレールを示している。
【００２３】
また、遊技領域１１ａの中央部には、開閉部材２０を開閉させる電動開閉式チューリップである特定入賞口１９を上部に有するセンター役物（入球役物）２２が配置されており、センター役物２２の下方にはアタッカー２４が配置されている。センター役物２２の下部左右には始動チャッカー（始動口）１４，１５が配置されており、センター役物の上方には、開閉部材１３ａを開閉させる電動開閉式チューリップである始動チャッカー（始動口）１３が配置されている。
【００２４】
センター役物２２の中央部左右には、単に遊技球の賞球のみを行うための一般入賞口１６，１７と、これら一般入賞口１６，１７の内側に位置する風車４２，４２と、これら風車４２，４２それぞれの上部に位置するスルーゲート３６，３７とが配置されている。センター役物２２の上部左右にも風車４２，４２が配置されている。上記スルーゲート３６は、入球（遊技球通過）を契機として普通図柄抽選が行われる役物であり、この抽選が後述のＣＰＵ６２ａで行われて当選すると、始動チャッカー１３が予め設定された秒数だけ開放した後閉止する。また、遊技領域１１ａには、センター役物２２、始動チャッカー１４，１５、一般入賞口１６，１７、スルーゲート３６，３７、始動チャッカー１３等の周囲に、遊技領域１１ａに発射されて流下する遊技球を適宜散らすための多数の障害釘が打ち込まれている。
【００２５】
センター役物２２は、図２に示すように、図柄表示装置３１の画面を露出させる開口部２２ａを中央部に有しており、開口部２２ａの下部にクルーン抽選装置（特別遊技状態抽選部）２８を有している。このクルーン抽選装置２８は、開閉部材２０の開放時に取り込んだ遊技球を用いて、通常の遊技状態から、遊技者に有利な特別遊技状態に移行するか否かの抽選を機械的に行う。更に、センター役物２２は、開閉部材２０により特定入賞口１９から取り込まれた遊技球をクルーン抽選装置２８にそれぞれ送る搬送路２６，２７を有している。これら搬送路２６，２７は、遊技球を、どちらを経由した場合でもクルーン抽選装置２８上方の放出口３４に導くのであるが、特定入賞口１９には、開閉部材２０によって取り込んだ遊技球を搬送路２６，２７のいずれかに振り分ける振分け部１９ａが設けられており、この振り分けによって視覚的な効果を醸し出している。
【００２６】
クルーン抽選装置２８は、図３ないし図６に示すように、開閉部材２０の開放時に取り込まれて搬送路２６，２７のいずれかを経由して放出口３４から放出された遊技球を転がり移動させる上段クルーン部（上側クルーン部）２８ａと下段クルーン部（下側クルーン部）２８ｂとを有している。これら上段及び下段クルーン部２８ａ，２８ｂは、図３上下方向に延びる共通の軸３５を中心として上下二段に配置された状態で、連結部４３，４４を介して互いに連結されている。なお、本実施形態では、クルーン抽選装置２８が上下二段のクルーン部２８ａ，２８ｂを有する構成として述べるが、本発明はこれに限らず、上下二段の複数段のクルーン部として構成されてもよいことは勿論である。例えば、上下三段や五段のクルーン部として構成する場合、上下方向の中間に位置するクルーン部より上に位置するものが上側クルーン部となり、該中間のクルーン部より下に位置するものが下側クルーン部となる。
【００２７】
また、上記両クルーン部２８ａ，２８ｂは、環状案内部２９ａ，３０ｂがそれぞれセンター役物２２側に支持部材（図示せず）を介して固定されており、移行確定入賞口（移行確定入球口）４３ａ，４４ａ及び周辺入球口４３ｂ〜４３ｅ、４４ｂ〜４４ｅ，・・・が、駆動モータ４０の駆動により軸３５を中心として環状案内部２９ａ，３０ａに対し図３時計回り方向に一体的に回転するように支持されている。なお、上記放出口３４は、搬送路２６，２７を経由して送られた遊技球を、上段クルーン部２８ａに対して図３反時計回り方向に転がり移動し得る方向に放出するように形成されている。
【００２８】
上段クルーン部２８ａは、軸３５を中心としたリング状に形成される環状案内部２９ａと、該環状案内部２９ａの中心の中空部分に設けられた連結部４３と、を有している。環状案内部２９ａは、内周側に環状転動案内部２９ｂを有し、この環状転動案内部２９ｂの連結部４３と対向する側の一部に遊技球導入切欠き２９ｃを有している。連結部４３の上部には、入球すると特別遊技状態への移行が確定する移行確定入賞口４３ａと、該移行確定入賞口４３ａの周辺に形成された周辺入球口４３ｂ，４３ｃ，４３ｄ，４３ｅとが形成されて、移行確定入賞口４３ａへの入球確率が１／５にされている。以上の構成を有する上段クルーン部２８ａは、開閉部材２０によって取り込まれた遊技球を転がり移動させて移行確定入賞口４３ａ及び周辺入球口４３ｂ，４３ｃ，４３ｄ，４３ｅの何れかに入球するように案内する。
【００２９】
移行確定入賞口４３ａは、図４に示すように、環状案内部２９ａに対して回転移動して遊技球導入切欠き２９ｃに対向する状態になった際、環状案内部２９ａから環状転動案内部２９ｂに転がって遊技球導入切欠き２９ｃから導入された遊技球Ｂａを、下段クルーン部２８ｂの移行確定入賞口４４ａに矢印Ａで示すように直接的に落下させ得るように連通している。また周辺入球口４３ｂは、図５に示すように、環状案内部２９ａに対して回転移動して遊技球導入切欠き２９ｃに対向する状態になった際、連結部４３と連結部４４の間に配置された離隔部材の球面４３ｆを底部として該球面４３ｆに沿って軸３５を中心に回転移動する、上下方向に延びる溝状に構成されている。周辺入球口４３ｂにおける該溝は、遊技球Ｂａを矢印Ｂ方向に通過させて落下させ得る内径に形成される。周辺入球口４３ｂにおける球面４３ｆと対面する部分の外周部には、遊技球導入切欠き２９ｃから導入された遊技球Ｂａを、上段クルーン部２８ａの下部に位置する環状部２９ｄを通過させた後、球面４３ｆに当接させて環状案内部３０ａに放出する放出部４３ｂ’が形成されている。他の周辺入球口４３ｃ，４３ｄ，４３ｅも上記周辺入球口４３ｂと同様に構成されている。
【００３０】
下段クルーン部２８ｂは、軸３５を中心としたリング状に形成される環状案内部３０ａと、該環状案内部３０ａの中心の中空部分に設けられた連結部４４と、を有している。環状案内部３０ａは、内周側に環状転動案内部３０ｂを有し、この環状転動案内部３０ｂの連結部４４と対向する側の一部に遊技球導入切欠き３０ｃを有している。連結部４４の下部には、入球すると特別遊技状態への移行が確定する移行確定入賞口４４ａと、該移行確定入賞口４４ａの周辺に形成された周辺入球口４４ｂ，４４ｃ，４４ｄ，４４ｅとが形成されている。この周辺入球口は、便宜上４４ｅまでしか図示していないが、図３における奥側にも、周辺入球口４４ｂ〜４４ｅと同様の周辺入球口が同様の間隔で４箇所形成されている。従って、下段クルーン部２８ｂは、移行確定入賞口４４ａを中心として９個の周辺入球口を備えることになり、移行確定入賞口４４ａへの入球確率が１／１０にされている。以上の構成を有する下段クルーン部２８ｂは、上段クルーン部２８ａから落下してくる遊技球を転がり移動させて移行確定入賞口４４ａ及び周辺入球口４４ｂ，４４ｃ，４４ｄ，４４ｅ，・・・・の何れかに入球するように案内する。
【００３１】
移行確定入賞口４４ａは、連結部４３，４４の回転時、移行確定入賞口４３ａと連通したままの状態で同方向に回転移動しつつ、導入された遊技球Ｂａを、図３の奥側に形成された不図示の孔に送り込むように構成されている。該孔に送り込まれた遊技球は、該孔の内方に配置された継続センサ４５（図７参照）によって検知される。また、周辺入球口４４ｂ，４４ｃ，４４ｄ，４４ｅ，・・・に入球される遊技球は、各周辺入球口に形成された不図示の排出口を介して遊技盤１１の背面側に排出される。
【００３２】
以上の構成を有する特別遊技状態抽選部２８では、上段クルーン部２８ａの移行確定入賞口４３ａに入球させる抽選が行われると共に、上段クルーン部２８ａの周辺入球口４３ｂ〜４３ｅに入球した遊技球を下段クルーン部２８ｂに流下させて該下段クルーン部２８ｂの移行確定入賞口４４ａ及び周辺入球口４４ｂ〜４４ｅ，・・・を用いた再抽選が行われる（即ち、特別遊技状態に移行するか否かの抽選が再度行われる）。
【００３３】
本実施形態における上記特別遊技状態は、アタッカー２４が開放して閉止するまでの１ラウンドを例えば３回、７回、１５回のいずれかの回数だけ繰り返す状態を意味するもので、１ラウンドは、アタッカー２４に遊技球が所定数（例えば１０個）入賞した時点で終了される。なお、特別遊技状態における上記ラウンド数、１ラウンド内での上記入賞球数は、上記に限定されるものではなく、設計に応じて適宜変更され得るものである。
【００３４】
次に、本実施形態におけるパチンコ機１の制御系を図７に沿って説明する。図７は、本パチンコ機１の全体の制御系を示すブロック図である。すなわち、本制御系は、遊技制御装置６０と、演出制御装置６９や賞球制御装置６１を初めとするその他の周辺装置等とによって構成されている。
【００３５】
遊技制御装置６０は、遊技盤１１の裏面に装着された役物制御ユニット（図示せず）により実現されており、パチンコ遊技等に必要な役物制御を行うワンチップマイコンからなる遊技用マイクロコンピュータ６２と、水晶の発振周波数を分周して所定のクロックを得るクロック生成回路（ＣＬＫ）６３と、各種信号の入出力を行う入出力インターフェース６４とを有している。遊技用マイクロコンピュータ６２は、ＣＰＵ６２ａ、ＲＯＭ６２ｂ、ＲＡＭ６２ｃを内蔵しており、いわゆるアミューズチップ用のＬＳＩとして用いられるものである。
【００３６】
遊技制御装置６０の入出力インターフェース６４には、入賞センサ６５，６６，６７、入賞センサＡ１，Ａ２、入賞センサ７３、及び継続センサ４５からの検知信号がそれぞれ入力される。ここで、入賞センサ６５は、始動チャッカー１３への入賞を検知するセンサであり、入賞センサ６６は、始動チャッカー１４への入賞を検知するセンサであり、入賞センサ６７は、始動チャッカー１５への入賞を検知するセンサであり、入賞センサ７３は、特定入賞口１９への入賞を検知するセンサであり、更に入賞センサＡ１，Ａ２は、一般入賞口１６，１７への入賞をそれぞれ検知するセンサである。また、継続センサ４５は、センター役物２２に入賞した遊技球のうち、移行確定入賞口４３ａから移行確定入賞口４４ａに入球した遊技球、及び移行確定入賞口４３ａを介さずに移行確定入賞口４４ａに直接入球した遊技球を検知する（つまり、Ｖ入賞検知信号を出力する）センサである。
【００３７】
一方、入出力インターフェース６４からは、放音装置８を放音駆動して効果音などの出力制御を行う音声出力制御装置６８、演出用照明装置２３や図柄表示装置３１等の制御を行う演出制御装置６９、発射装置７２を制御する発射制御装置７１、賞球制御装置６１、始動チャッカー１３の開閉部材１３ａを開閉動作させる第１開閉ソレノイド３８、特定入賞口１９の開閉部材２０を開閉動作させる第２開閉ソレノイド３９、及び、クルーン抽選装置２８の連結部４３，４４を回転させる駆動モータ４０にそれぞれ信号等が出力される。
【００３８】
上記賞球制御装置６１に出力される信号は賞球制御情報の信号であり、この賞球制御情報は、賞球数情報や排出条件等の情報である。賞球制御装置６１は、遊技制御装置６０から入力される賞球制御情報に基づいて、排出ユニット（図示せず）を駆動して遊技球を賞球排出する制御を行う。つまり、遊技制御装置６０は、遊技領域１１ａの各入賞口に設けられた入賞センサ６５、入賞センサ６６、入賞センサ６７、入賞センサＡ１，Ａ２、入賞センサ７３によって入賞が検知されると、各入賞口の入賞価値に対応して予め設定された賞球数情報を賞球制御装置６１に送信する。すると、賞球制御装置６１は、受信した賞球数情報に対応した賞球排出制御を行う。
【００３９】
遊技用マイクロコンピュータ６２におけるＣＰＵ６２ａ内の遊技制御部（図示せず）は、Ｖ入賞検知信号が入力された際、大当たり確定（つまり、特別遊技状態への移行の確定）に伴ってアタッカー２４を開閉継続させるラウンド数を、特別遊技状態の継続程度を段階的に規定した複数の継続パターンのいずれかを選択する抽選を電気的（ソフト的）に行う。これにより、３ラウンドの継続パターン、７ラウンドの継続パターン、１５ラウンドの継続パターンのいずれかが決定される。なお、ラウンド数は、これらに限定されるものではなく、設計に応じて適宜変更され得るものである。
【００４０】
そして、特別遊技状態への移行が確定すると、遊技制御装置６０による演出用照明装置２３や図柄表示装置３１等の各種発光・表示演出が適時になされる。また、上記遊技制御部は、パチンコ機１を備えた遊技場の開店等に際して該パチンコ機１の主電源がオンされた時点から、駆動モータ４０を駆動してクルーン抽選装置２８の連結部４３，４４を、比較的低速で一方向に連続的に回転させる。
【００４１】
次に、本パチンコ機１による作用について説明する。すなわち、本パチンコ機１に対面して着座した遊技者が発射ハンドル９を握って適宜の角度に回動操作すると、発射制御装置７１がその回動角に基づいて発射装置７２を制御し、該発射装置７２の作動で遊技球を所定の時間間隔で遊技領域１１ａに連続的に発射する。すると、遊技領域１１ａに打ち出されて転動落下する遊技球は、始動チャッカー１４，１５、一般入賞口１６，１７、或いは、スルーゲート３６への入球を契機とした普通図柄抽選で当選した際に開放する始動チャッカー１３等に適時入賞したり、これらに関与せずに転動落下してアウト口１８から遊技盤１１背面側に排出されたりする。
【００４２】
上記した各経路を辿った遊技球が、始動チャッカー１４又は始動チャッカー１５に入賞すると、特定入賞口１９の開閉部材２０が、所定時間（例えば、０．５秒間）の開閉動作を行う。また、普通図柄抽選に当選して開放した始動チャッカー１３に入賞した場合も、特定入賞口１９の開閉部材２０が所定時間の開閉動作を行う。このようにして特定入賞口１９が開放すると、特定入賞口１９の近傍を流下する遊技球のうちで開閉部材２０の開閉タイミングに合ったものが、特定入賞口１９からセンター役物２２内に取り込まれる。
【００４３】
センター役物２２内に導入された遊技球は、振分け部１９ａで搬送路２６，２７のいずれかに振り分けられると共に入賞センサ７３で検知される。この際、当該遊技球は搬送路２６，２７のいずれに振り分けられても、放出口３４からクルーン抽選装置２８の上段クルーン部２８ａに放出される。
【００４４】
この場合、クルーン抽選装置２８では、連結部４３，４４が環状案内部２９ａ，３０ａに対して一体的に図３時計回り方向に一定速度で低速回転しており、放出口３４から放出された遊技球は、上段クルーン部２８ａの環状案内部２９ａから環状転動案内部２９ｂに向けて転がり移動する。ここで、遊技球は、上段クルーン部２８ａに放出されるタイミングや強さに応じて環状転動案内部２９ｂ内での回転回数が異なり、また遊技球放出時における連結部４３の回転位置の違い等により、遊技球導入切欠き２９ｃから導入される際に該切欠き２９ｃに到達している入球口が異なる。
【００４５】
例えば、図４に示すように、遊技球導入切欠き２９ｃに移行確定入賞口４３ａが対面した際に遊技球Ｂａが該切欠き２９ｃに到達すると、この遊技球Ｂａは、移行確定入賞口４３ａに進入して矢印Ａで示すように移行確定入賞口４４ａに落下して、継続センサ４５により検知されてＶ入賞検知信号を出力され、それにより特別遊技状態への移行が確定する。
【００４６】
一方、図５に示すように、遊技球導入切欠き２９ｃに周辺入球口４３ｂが対面した際に遊技球Ｂａが該切欠き２９ｃに到達すると、この遊技球Ｂａは、周辺入球口４３ｂに進入して矢印Ｂで示すように環状案内部３０ａに落下し、該環状案内部３０ａから環状転動案内部３０ｂへの転動具合によって、周辺入球口４４ｂ，４４ｃ，４４ｄ，４４ｅ，・・・のいずれか、或いは、移行確定入賞口４４ａにタイミング良く入球する。移行確定入賞口４４ａに入球した場合は、継続センサ４５により検知されて特別遊技状態への移行が確定するが、周辺入球口４４ｂ〜４４ｅ，・・・のいずれかに入球した場合、当該遊技球は、遊技盤１１の背面側に単に排出されることになる。
【００４７】
そして、移行確定入賞口４４ａに入球すると、ＣＰＵ６２ａ内の遊技制御部にて、ラウンド数が電気的に決定される。そして、移行した特別遊技状態において、決定したラウンド数に応じて開閉するアタッカー２４への入賞数に対応する賞球が、球供給口１０から皿ユニット６に払い出されることで、遊技者は多量の賞球を取得することになる。
【００４８】
以上説明した本実施形態では、クルーン抽選装置２８が、上段クルーン部２８ａの周辺入球口４３ｂ，４３ｃ，４３ｄ，４３ｅのいずれかに入球した遊技球を下段クルーン部２８ｂに流下させて該下段クルーン部２８ｂの移行確定入賞口４４ａ及び周辺入球口４４ｂ，４４ｃ，４４ｄ，４４ｅを用いた抽選を行うように構成されている。これにより、上段クルーン部２８ａ側で特別遊技状態に移行するか否かの抽選を行い、当選しなかった際には下段クルーン部２８ｂ側で、特別遊技状態に移行するか否かの抽選を再度実施することができるので、１個の遊技球を用いて行われる抽選に遊技者を注目させて抽選光景を楽しませる時間を従来に比して長くし、当選の期待感を倍増させ、遊技者にとっての興趣を高め、遊技性を向上させることができる。
【００４９】
また、上段クルーン部２８ａでの抽選時に移行確定入賞口４３ａに入球した場合、該遊技球を下段クルーン部２８ｂの移行確定入賞口４４ａに直接入球させて特別遊技状態への移行を確定することができる。これにより、移行確定の判定用の継続センサ４５を上段クルーン部２８ａと下段クルーン部２８ｂとで別々に設けることなく共通化することができ、部品点数を削減してコストダウンを図ることができる。また、第１段階の抽選時には遊技球を上段クルーン部２８ａの環状案内部２９ａにて転がり移動させ、この抽選に外れた後、更に下段クルーン部２８ｂ側で同様の抽選光景を遊技者に見せることができるので、抽選時の視覚的効果をより有効に醸し出すことができる。そして、上段及び下段クルーン部２８ａ，２８ｂの移行確定入賞口４３ａ，４４ａ並びに周辺入球口４３ｂ，４３ｃ，４３ｄ，４３ｅ，４４ｂ，４４ｃ，４４ｄ，４４ｅ，・・・が軸３５を中心に環状案内部２９ａ，３０ａに対して一体的に回転するように支持されるので、上段クルーン部２８ａでの抽選光景と下段クルーン部２８ｂでの抽選光景を同様にして、抽選ムラの無い安定した感触を遊技者に与えることができる。これらの効果は、クルーン部が上下方向に二段以上設けられた場合、より一層高められることになる。
【００５０】
＜第２実施形態＞
ついで、図８及び図９を参照して、本発明に係る第２実施形態について説明する。
【００５１】
すなわち、本実施形態では、上段及び下段クルーン部２８ａ，２８ｂの環状案内部２９ａ，３０ｂがそれぞれセンター役物２２側に固定され、かつ、上段及び下段クルーン部２８ａ，２８ｂの移行確定入賞口４３ａ，４４ａ及び周辺入球口４３ｂ〜４３ｅ、４４ｂ〜４４ｅ，・・・が、軸４７を中心に環状案内部２９ａ，３０ａに対して回転するように支持されている。更に、上段クルーン部２８ａの移行確定入賞口４３ａ及び周辺入球口４３ｂ〜４３ｅと下段クルーン部２８ｂの移行確定入賞口４４ａ及び周辺入球口４４ｂ〜４４ｅ，・・・とが、軸４７を中心として互に逆方向に回転するように構成されている。
【００５２】
軸４７は、図８の上下方向に延びる円筒状に形成されており、その上部が連結部４３の上部に埋込み固定され、下部が連結部４４の中心を下方に貫通して該連結部４４の下部側で固定されている。軸４７の上部は、連結部４３に埋込み固定された状態で、斜め上方に開口した導入口４７ｂに連通している。軸４７の下端部は駆動モータ４０（図７参照）に連結されており、軸４７に対して回転自在な連結部４４は別の駆動モータ（図示せず）に連結されている。これにより、駆動モータ４０の回転を軸４７を介して受ける連結部４３は一方向（本実施形態では時計回り方向）に低速回転し、別の駆動モータの回転を受ける連結部４４は他方向（本実施形態では反時計回り方向）に低速回転する。
【００５３】
また、軸４７は、上部が導入口４７ｂに連通すると共に、内方の中空部４７ａを放出口４７ｃを介してクルーン抽選装置２８の下方に連通している。移行確定入賞口４３ａに入球した遊技球Ｂａは、導入口４７ｂから中空部４７ａを経由して放出口４７ｃから放出される際、移行確定入賞口４４ａから入球した遊技球と同様、継続センサ４５（図７参照）によって検知される。
【００５４】
本実施形態のクルーン抽選装置２８によると、先の実施形態と同様の効果を得ることができると共に、上段及び下段クルーン部２８ａ，２８ｂの移行確定入賞口４３ａ，４４ａ及び周辺入球口４３ｂ〜４３ｅ、４４ｂ〜４４ｅ，・・・が、軸４７を中心に環状案内部２９ａ，３０ａに対して回転するように支持されると共に、上段クルーン部２８ａの移行確定入賞口４３ａ及び周辺入球口４３ｂ〜４３ｅと下段クルーン部２８ｂの移行確定入賞口４４ａ及び周辺入球口４４ｂ〜４４ｅ，・・・とが軸４７を中心として互に逆方向に回転する。これにより、上段クルーン部２８ａでの抽選光景と下段クルーン部２８ｂでの抽選光景を異ならせて、抽選時の意外性を遊技者にアピールすることができるという効果を得ることができる。これらの効果は、クルーン部が上下方向に二段以上設けられた場合、より一層高められることになる。
【００５５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００５６】
【図１】本発明に係るパチンコ機の外部構造を示す正面図である。
【図２】第１実施形態のパチンコ機の遊技盤及び遊技領域を拡大して示す正面図である。
【図３】第１実施形態のセンター役物内に配置されたクルーン部を拡大して示す斜視図である。
【図４】第１実施形態のクルーン部の詳細な構造を一部切断した状態で示す斜視図である。
【図５】第１実施形態のクルーン部の別の部位を切断した状態で示す斜視図である。
【図６】第１実施形態のセンター役物及びクルーン部の構成を示す側面断面図である。
【図７】第１実施形態のパチンコ機全体の制御系を示す制御ブロック図である。
【図８】第２実施形態のクルーン部の詳細な構造を一部切断した状態で示す斜視図である。
【図９】第２実施形態のクルーン部の別の部位を切断した状態で示す斜視図である。
【符号の説明】
【００５７】
１    遊技機（パチンコ機）
１１    遊技盤
１１ａ    遊技領域
１３，１４，１５    始動口（始動チャッカー）
２０    開閉部材
２２    入球役物（センター役物）
２８    特別遊技状態抽選部
２８ａ    上側クルーン部（上段クルーン部）
２８ｂ    下側クルーン部（下段クルーン部）
２９ａ，３０ａ    環状案内部
３５，４７    軸
４３ａ，４４ａ    移行確定入球口（移行確定入賞口）
４３ｂ，４３ｃ，４３ｄ，４３ｅ、４４ｂ，４４ｃ，４４ｄ，４４ｅ    周辺入球口
【図１】
2008119274.tif 000003
【図２】
2008119274.tif 000004
【図３】
2008119274.tif 000005
【図４】
2008119274.tif 000006
【図５】
2008119274.tif 000007
【図６】
2008119274.tif 000008
【図７】
2008119274.tif 000009
【図８】
2008119274.tif 000010
【図９】
2008119274.tif 000011